(57)【特許請求の範囲】
【請求項１】
挿入されたＩＣカードを搬入および搬出する搬送路と、
該搬送路に沿ってそれぞれ配置した、前記ＩＣカードに搭載したＩＣチップに対して情報の読み取りおよび書き込みを行うＩＣカード読み書き部、前記ＩＣカードに設けたリライト層に情報を書き込む印字部、並びに前記リライト層に書き込んだ情報を消去する消去部と、
前記搬送路の挿入および排出口側に配置したＩＣタッチ部を備え、
前記ＩＣ読み書き部は回動部を備え、その一方の回動位置に置いて前記搬送路に隣接し、他方の回動位置において前記ＩＣタッチ部に隣接することを特徴とする非接触ＩＣ処理装置。
【発明の詳細な説明】
【技術分野】
【０００１】
本発明は、非接触ＩＣ処理装置に係り、特に挿入式およびタッチ式の双方の処理に適用可能な非接触ＩＣ処理装置に関する。
【背景技術】
【０００２】
ＩＣ技術および通信技術の発展に伴い、非接触でＩＣに対して読み書きすることのできるＩＣ読み書き部が出現している。これに伴い、非接触ＩＣは様々な媒体に組み込まれるようになってきた。
【０００３】
例えば、鉄道の駅、ポイントサービスを行っているデパートなどでは、ＩＣカード、ＩＣ対応携帯電話、ＩＣトークン等のＩＣ媒体に対して、駅の窓口端末、自動券売機、自動定期券発行機、ポイント還元端末などのＩＣ処理機を介して読み書きを施している。
【０００４】
従来、非接触ＩＣの処理機能を有した装置としては、カード媒体に対する読み書き専用機である挿入式、あるいはＩＣ媒体に対応したタッチ式の装置が知られている。
【０００５】
例えば、特許文献１には、定期券としての機能と金額的価値を有するカードとしての機能とを有し、さらに書き換え可能な印字層を備えた非接触ＩＣカードが示されている。また、この非接触ＩＣカードは、改札口では、非接触ＩＣカードを自動改札機にかざす（タッチ式）だけで通過できること、リチャージ機では、ＩＣカード挿入口に挿入して（挿入式）リチャージすることが示されている。
【特許文献１】特開２００１−９３０００３号公報
【発明の開示】
【発明が解決しようとする課題】
【０００６】
挿入式は、カード媒体を搬送路で搬送するため、搬送路に印字部、消去部を設けることにより、カード表面に形成したリライト層に印字し、さらに該印字を消去することができる。しかしながら、ＩＣ対応携帯電話用などカード媒体以外は読み書きすることができない。
【０００７】
これに対し、前記タッチ式では、タッチ部にＩＣ媒体のＩＣチップ部を触れさせることで読み書きが可能である。このため、媒体がカード媒体であっても、任意の形状のＩＣ媒体であっても読み書きが可能である。しかし、この場合は、媒体の形状あるいは媒体の読み取り位置を特定することができない。このため、例えば、表面にリライト層を形成したカード媒体に対して読み書きを施すことは困難である。
【０００８】
このようにタッチ式および挿入式に対応した読み書き装置は、相反する機能を有するため、何れか一方の方式の読み書き装置のみでは、両方式の媒体を読み書きすることはできない。
【０００９】
本発明はこれらの問題点に鑑みてなされたもので、タッチ式および挿入式いずれの方式にも対応することのできる読み書き装置を提供するものである。
【課題を解決するための手段】
【００１０】
本発明は上記課題を解決するため、次のような手段を採用した。
【００１１】
挿入されたＩＣカードを搬入および搬出する搬送路と、該搬送路に沿ってそれぞれ配置した、前記ＩＣカードに搭載したＩＣチップに対して情報の読み取りおよび書き込みを行うＩＣカード読み書き部、前記ＩＣカードに設けたリライト層に情報を書き込む印字部、並びに前記リライト層に書き込んだ情報を消去する消去部と、前記搬送路の挿入および排出口側に配置したＩＣタッチ部を備え、前記ＩＣ読み書き部は回動部を備え、その一方の回動位置に置いて前記搬送路に隣接し、他方の回動位置において前記ＩＣタッチ部に隣接する。
【発明の効果】
【００１２】
本発明は、以上の構成を備えるため、タッチ式および挿入式いずれの方式にも対応することのできる読み書き装置を提供することができる。
【発明を実施するための最良の形態】
【００１３】
以下、最良の実施形態を添付図面を参照しながら説明する。図１は、本発明の実施形態に係る非接触ＩＣ処理機の概略を説明する図である。図において、１０は非接触ＩＣ処理機、１は非接触ＩＣ処理機１０の制御部、２は利用者がＩＣカードを挿入し、排出されたカードを受け取るＩＣカードの挿入・排出部、３はＩＣカードの搬送路、４は搬送されたＩＣカードに対して読み書き処理を施す読み書き部（ＩＣＲＷ）、５はＩＣカードのリライト層に書き込んだ情報を消去する券面消去部５、６はＩＣカードのリライト層情報を書き込む券面印字部である。７は非接触ＩＣ処理機の可動部であり、該可動部を操作することにより非接触ＩＣ処理機をタッチ式あるいは挿入式の処理機として使用することができる。８はタッチ式として使用する際に媒体をタッチさせる媒体タッチ部、９は非接触ＩＣ処理機の上位制御装置であり、パーソナルコンピュータ等で構成することができる。
【００１４】
図２は、本発明の非接触ＩＣ処理機の第１の実施形態を説明する図である。なお、図２において図１に示される部分と同一部分については同一符号を付してその説明を省略する。
【００１５】
図２に示すように、非接触ＩＣ処理機１０の上部に媒体タッチ部８を設ける。非接触ＩＣ処理機１０を、媒体であるＩＣカードに対して挿入式の読み書き装置として使用する場合には、ＩＣカードを挿入排出部２に挿入する。この場合、挿入されたＩＣカードは読み書き部４において読み書き処理を施され、券面消去部５において券面のリライト層に印字された情報を消去し、券面印字部６において券面のリライト層に所要の印字を施し、その後挿入排出部２を介してＩＣカードを利用者に返却する。
【００１６】
一方、非接触ＩＣ処理機１０を媒体であるＩＣカードに対してタッチ式の読み書き装置として使用する場合、利用者は、ＩＣカードを媒体タッチ部８にタッチさせる。媒体タッチ部８を読み書き部（ＩＣＲＷ）４の読み取り書き込み範囲内に配置しておくことにより、ＩＣカードを媒体タッチ部８にタッチするのみで、ＩＣカードに対して読み書き処理を施すことができる。
【００１７】
図３は、非接触ＩＣ処理機の第２の実施形態を説明する図である。なお、図３において図１に示される部分と同一部分については同一符号を付してその説明を省略する。
【００１８】
図３に示すように、読み書き部（ＩＣＲＷ）４の上部に媒体タッチ部８を配置する。なお、読み書き部（ＩＣＲＷ）４の上部そのものを媒体タッチ部としても良い。１１は上部開放部であり、該開放部１１は搬送路の一部を備え、回転可動部７を中心にして回動して開放部１１を開放したとき、媒体タッチ部８の上方に空間を形成して、ＩＣカードを媒体タッチ部８にタッチさせることができる。なお、開放部の１１の開放は制御部１制御により行うことができる。
【００１９】
本実施形態においては、開放部１１を開放したときタッチ式の処理機として使用することができ、開放部１１を閉じたとき挿入式の処理機として使用することができる。
【００２０】
図４は、非接触ＩＣ処理機の第３の実施形態を説明する図である。なお、図４において図１に示される部分と同一部分については同一符号を付してその説明を省略する。
【００２１】
図４に示すように、読み書き部（ＩＣＲＷ）４の上部に媒体タッチ部８を配置する。なお、読み書き部（ＩＣＲＷ）４の上部そのものを媒体タッチ部としても良い。１２は下部開放部であり、該開放部１２は回転可動部７を中心にして回動して開放部１２を開放したとき、媒体タッチ部８の左方に空間を形成して、ＩＣカードを媒体タッチ部８にタッチさせることができる。なお、開放部の１２の開放は制御部１制御により行うことができる。  本実施形態においては、開放部１２を開放したときタッチ式の処理機として使用することができ、開放部１２を閉じたとき挿入式の処理機として使用することができる。
【００２２】
図５は、非接触ＩＣ処理機の第４の実施形態を説明する図である。なお、図５において図１に示される部分と同一部分については同一符号を付してその説明を省略する。
【００２３】
図５に示すように、読み書き部（ＩＣＲＷ）４の上部に媒体タッチ部８を配置する。なお、読み書き部（ＩＣＲＷ）４の上部そのものを媒体タッチ部としても良い。１３は摺動部であり、該摺動部１３は摺動面１４を境にして図示左方に摺動したとき、媒体タッチ部８の上方に空間を形成して、ＩＣカードを媒体タッチ部８にタッチさせることができる。なお、摺動部１３の摺動は制御部１の制御により行うことができる。
【００２４】
本実施形態においては、摺動部１３を摺動させたときタッチ式の処理機として使用することができ、摺動部１３を閉じたとき挿入式の処理機として使用することができる。
【００２５】
図６は、非接触ＩＣ処理機の第５の実施形態を説明する図である。なお、図６において図１に示される部分と同一部分については同一符号を付してその説明を省略する。
【００２６】
図６に示すように、搬送路の挿入・排出口側（非接触ＩＣ処理機１の前面）に媒体タッチ部８を配置する。なお、読み書き部（ＩＣＲＷ）４は可動部７を備え、該可動部を回動させることにより、読み書き部（ＩＣＲＷ）４を前記搬送路に沿う位置（破線位置）、および非接触ＩＣ処理機１の前面に配置したタッチ部８に沿う位置（実線位置）配置することができる。なお、可動部７による回動は制御部１の制御により行うことができる。
【００２７】
本実施形態においては、読み書き部（ＩＣＲＷ）４を前記搬送路に沿う位置（破線位置）に回動させたとき挿入式の処理機として使用することができ、読み書き部（ＩＣＲＷ）４を非接触ＩＣ処理機１の前面に配置したタッチ部８に沿う位置（実線位置）に回動させたときタッチ式の処理機として使用することができる。
【００２８】
図７は、可動部を備えない非接触ＩＣ処理機（図２に示す処理機）の処理を説明する図である。まず、利用者は非接触ＩＣ処理機を制御する上位制御装置９を操作して、続いて行う処理がＩＣカードのリライト層に対するリライトを含むＩＣデータの更新処理であるか、リライトを含まないＩＣデータ更新処理であるかを選択入力する。この入力信号をもとに上位制御装置９は非接触ＩＣ処理機１０の制御部１に対し、読み書き部（ＩＣＲＷ）４を挿入式の処理機として使用するか、タッチ式の処理機として使用するかを選択指示する（ステップＳ１１）。
【００２９】
前記選択がリライト層に対するリライトを含むデータ更新処理である場合、まず、利用者は挿入排出部２にＩＣカードを挿入する（ステップＳ１２）。制御部１は搬送路３を作動作させ、挿入されたＩＣカードを読み書き部（ＩＣＲＷ）４の読取範囲内に移動させ、読み書き部（ＩＣＲＷ）４により読み取り処理を行う（ステップＳ１３）。利用者は、読み取った情報を元に、ＩＣデータの更新情報、あるいはリライト層に対する印字情報を上位制御装置９に入力する。これらの情報をもとに上位制御装置９は非接触ＩＣ処理機１０の制御部１に更新情報を送信する。制御部１は前記更新情報をもとに読み書き部（ＩＣＲＷ）４を介してＩＣデータの更新処理（書き込み処理）を行う（ステップＳ１４）。
【００３０】
次いで、制御部１は、搬送路３を作動させてＩＣカードを消去部５に搬送し、リライト層に記入した情報を消去する（ステップＳ１５）。次に、搬送路３を再度作動させて印字部６に搬送し、リライト層に前記印字情報を印字する（ステップＳ１６）。印字処理後は、搬送路３を作動させて、ＩＣカードを挿入排出部２を介して排出し、更新処理を完了する（ステップＳ１７）。
【００３１】
前記選択がリライト層に対するリライトを含まないデータ更新処理である場合、制御部１は読み書き部（ＩＣＲＷ）４を読み込み可能状態とし、利用者は媒体タッチ部８にＩＣカードをタッチさせる。すなわち、ＩＣカードを読み書き部（ＩＣＲＷ）４の読取範囲内に移動させることにより、読み書き部（ＩＣＲＷ）４によりＩＣカードのリード処理を行う（ステップＳ１８）。利用者は読み取った情報を元に、ＩＣデータ更新情報を上位制御装置９に入力する。この入力情報をもとに上位制御装置９は非接触ＩＣ処理機１０の制御部１に更新情報を送信する。制御部１は前記更新情報をもとに読み書き部（ＩＣＲＷ）４をライト可能状態とする。利用者は媒体タッチ部８に再びＩＣカードをタッチさせる、あるいは前記ＩＣリード処理から継続してタッチさせていることで、ＩＣデータの更新処理（ＩＣライト処理）を行い、更新処理を完了する（ステップＳ１９）。
【００３２】
図８は、可動部を備える非接触ＩＣ処理機（図３，４，５，６に示す処理機）の処理を説明する図である。まず、利用者は非接触ＩＣ処理機を制御する上位制御装置９を操作して、続いて行う処理がＩＣカードのリライト層に対するリライトを含むＩＣデータの更新処理であるか、リライトを含まないＩＣデータ更新処理であるかを選択入力する。この入力信号をもとに上位制御装置９は非接触ＩＣ処理機１０の制御部１に対し、読み書き部（ＩＣＲＷ）４を挿入式の処理機として使用するか、タッチ式の処理機として使用するかを選択指示する（ステップＳ１１）。
【００３３】
前記選択がリライト層に対するリライトを含むデータ更新処理である場合、まず、利用者は挿入排出部２にＩＣカードを挿入する（ステップＳ１２）。制御部１は搬送路３を作動作させ、挿入されたＩＣカードを読み書き部（ＩＣＲＷ）４の読取範囲内に移動させ、読み書き部（ＩＣＲＷ）４により読み取り処理を行う（ステップＳ１３）。利用者は、読み取った情報を元に、ＩＣデータの更新情報、あるいはリライト層に対する印字情報を上位制御装置９に入力する。これらの情報をもとに上位制御装置９は非接触ＩＣ処理機１０の制御部１に更新情報を送信する。制御部１は前記更新情報をもとに読み書き部（ＩＣＲＷ）４を介してＩＣデータの更新処理（書き込み処理）を行う（ステップＳ１４）。
【００３４】
次いで、制御部１は、搬送路３を作動させてＩＣカードを消去部５に搬送し、リライト層に記入した情報を消去する（ステップＳ１５）。次に、搬送路３を再度作動させて印字部６に搬送し、リライト層に前記印字情報を印字する（ステップＳ１６）。印字処理後は、搬送路３を作動させて、ＩＣカードを挿入排出部２を介して排出し、更新処理を完了する（ステップＳ１７）。
【００３５】
前記選択がリライト層に対するリライトを含まないデータ更新処理である場合、制御部１は、まず可動部７を駆動して、例えば上開放部１１を開放し、読み書き部（ＩＣＲＷ）４をタッチ部８を介して読み込み可能状態（タッチ式対応状態）とする（ステップＳ１８Ａ）。ここで利用者は媒体タッチ部８にＩＣカードをタッチさせる。すなわち、ＩＣカードを読み書き部（ＩＣＲＷ）４の読取範囲内に移動させることにより、読み書き部（ＩＣＲＷ）４によりＩＣカードのリード処理を行う（ステップＳ１８）。利用者は読み取った情報を元に、ＩＣデータ更新情報を上位制御装置９に入力する。この入力情報をもとに上位制御装置９は非接触ＩＣ処理機１０の制御部１に更新情報を送信する。制御部１は前記更新情報をもとに読み書き部（ＩＣＲＷ）４をライト可能状態とする。利用者は媒体タッチ部８に再びＩＣカードをタッチさせる、あるいは前記ＩＣリード処理から継続してタッチさせていることで、ＩＣデータの更新処理（ＩＣライト処理）を行い、更新処理を完了する（ステップＳ１９）、その後可動部７を逆方向に駆動して、すなわちタッチ式対応状態を終了して処理を終了する（ステップＳ１９Ａ）。
【００３６】
以上説明したように、本発明の実施形態によれば、ＩＣカードのリライト層に対する印字処理およびＩＣチップに対するリードライトを行う処理装置において、挿入式およびタッチ式の双方に対応可能な読み書き部（ＩＣＲＷ）を１つ設ける。これにより、挿入式およびタッチ式にそれぞれ対応可能な読み書き部（ＩＣＲＷ）を設ける方式に比して、コストおよび設置スペースを半減することができる。
【図面の簡単な説明】
【００３７】
【図１】本発明の実施形態に係る非接触ＩＣ処理機の概略を説明する図である。
【図２】本発明の非接触ＩＣ処理機の第１の実施形態を説明する図である。
【図３】非接触ＩＣ処理機の第２の実施形態を説明する図である。
【図４】非接触ＩＣ処理機の第３の実施形態を説明する図である。
【図５】非接触ＩＣ処理機の第４の実施形態を説明する図である。
【図６】非接触ＩＣ処理機の第５の実施形態を説明する図である。
【図７】可動部を備えない非接触ＩＣ処理機の処理を説明する図である。
【図８】可動部を備える非接触ＩＣ処理機の処理を説明する図である。
【符号の説明】
【００３８】
１  制御部
２  挿入排出部
３  搬送路
４  読み書き部（ＩＣＲＷ）
５  消去部
６  印字部
７  可動部
８  タッチ部
９  上位制御部
１０  非接触ＩＣ処理機
１１  上開放部
１２  下開放部
１３  摺動部
【図１】
0004620569.tif 000002
【図２】
0004620569.tif 000003
【図３】
0004620569.tif 000004
【図４】
0004620569.tif 000005
【図５】
0004620569.tif 000006
【図６】
0004620569.tif 000007
【図７】
0004620569.tif 000008
【図８】
0004620569.tif 000009